(57)【特許請求の範囲】
【請求項１】
表示装置に、ユーザーが入力すべき文字、数字又は記号のいずれかを含む文字列の一部が欠損した文字列欠損画像とともに前記文字列欠損画像の欠損部分を覆い隠すことができる形状のマスク画像を表示し、前記マスク画像又は前記文字列欠損画像がユーザーの操作によって移動可能とされ、前記ユーザーが入力すべき文字列をユーザーが入力した場合、ユーザーにインターネットサービスを提供するインターネットサービス提供方法において、
前記文字列欠損画像の欠損部分の形状が前記マスク画像の形状と一致しないことを特徴とするインターネットサービス提供方法。
【請求項２】
表示装置に、ユーザーが入力すべき文字、数字又は記号のいずれかを含む文字列の一部が欠損した文字列欠損画像とともに前記文字列欠損画像の欠損部分を覆い隠すことができる形状のマスク画像を表示させ、前記マスク画像又は前記文字列欠損画像がユーザーの操作によって移動可能とされ、前記ユーザーが入力すべき文字列をユーザーが入力した場合、ユーザーにインターネットサービスを提供するインターネットサービス提供プログラムにおいて、
前記文字列欠損画像の欠損部分の形状と前記マスク画像の形状が一致しないことを特徴とするインターネットサービス提供プログラム。
【請求項３】
表示装置に、ユーザーが入力すべき文字、数字又は記号のいずれかを含む文字列の一部が欠損した文字列欠損画像とともに前記文字列欠損画像の欠損部分を覆い隠すことができる形状のマスク画像を表示し、前記マスク画像又は前記文字列欠損画像が移動することにより前記文字列欠損画像の文字列の欠損部分を前記マスク画像が隠し、前記ユーザーが入力すべき文字列をユーザーが入力した場合、ユーザーにインターネットサービスを提供するインターネットサービス提供方法において、
前記文字列欠損画像の欠損部分の形状が前記マスク画像の形状と一致しないことを特徴とするインターネットサービス提供方法。
【発明の詳細な説明】
【技術分野】
【０００１】
本発明は、インターネットサービス提供方法及びインターネットサービス提供プログラムに関するものである。
【背景技術】
【０００２】
インターネット上のオンライン情報提供業者（例えば、特許情報提供業者等）又はサービス提供業者（例えば、メールアカウント提供業者）にとって、不正に情報を取得されたり、サービスを利用されてしまい、情報提供業者が提供する情報の価値が減少したり、適切にサービスを利用しようとする者がサービスを受けることができなくなってしまうという問題がある。不正利用者は、コンピュータ（機械）を使用して大量にオンライン情報提供業者から情報を取得したり、サービスリソースを利用するといった手法をとる。そこで、コンピューターを利用して不正にオンライン情報を取得されたり、サービスを利用されたりすることを防ぐために、ディスプレイに表示された文字列を入力しないとサービスにアクセスできないようにして、サービスに人間のみがアクセスでき、コンピュータにはアクセスできないようにする技術が開発された。しかし、文字認識技術が向上したことにより、ディスプレイに表示された文字列がコンピュータに自動認識され、コンピュータに不正アクセスされてしまうおそれがあるという問題が生じた。
【０００３】
特許文献１には、人間とコンピュータを区別するチューリングテストの一種であるCAPCHAの一手法が記載されている。それまでの単純なCAPTHAが、歪みやノイズを加えた文字列の提示のみであったのに対し、特許文献１では、アニメーションによる提示画像の変化や、ドラッグ操作により移動可能なマスク画像を用いた遮蔽を行うことで、コンピュータによる光学読み取りをより困難にしている。
【先行技術文献】
【特許文献】
【０００４】
【特許文献１】特開２００８−５２７２７号公報
【発明の概要】
【発明が解決しようとする課題】
【０００５】
特許文献１に記載された方法では、コンピュータによる文字認識技術の発展に伴い、文字列がやがてコンピュータに自動認識されてしまうおそれがあるという課題がある。また、ユーザーが文字列を容易に認識することができず苦痛に感じ、インターネットサービスの利用を断念してしまうおそれがあるという課題がある。
【課題を解決するための手段】
【０００６】
上記課題を解決するために、本発明の一つの観点によれば、インターネットサービス提供方法を、表示装置に、ユーザーが入力すべき文字、数字又は記号のいずれかを含む文字列の一部が欠損した文字列欠損画像とともに文字列欠損画像の欠損部分を隠すことができる形状のマスク画像を表示し、マスク画像又は前記文字列欠損画像がユーザーの操作によって移動可能とされ、前記文字列画像が示す文字列をユーザーが入力した場合、ユーザーにインターネットサービスを提供するものとした。さらに、文字列欠損画像の欠損部分の形状がマスク画像の形状と一致しないものとすると望ましい。
【０００７】
また、本発明の他の観点によれば、インターネットサービス提供プログラムを、表示装置に、ユーザーが入力すべき文字、数字又は記号のいずれかを含む文字列の一部が欠損した文字列欠損画像とともに文字列欠損画像の欠損部分を隠すことができる形状のマスク画像を表示させ、マスク画像又は文字列欠損画像がユーザーの操作によって移動可能とされ、文字列画像が示す文字列をユーザーが入力した場合、ユーザーにインターネットサービスを提供するものとした。さらに、文字列欠損画像の欠損部分の形状とマスク画像の形状が一致しないものとすると望ましい。
【発明の効果】
【０００８】
本発明に係るインターネットサービス提供方法によれば、人間であるユーザーには文字列を解読できインターネットサービスを利用できるが、コンピュータには文字列を解読するのが困難であり、不正な目的でのサービスの利用を防止することができる。また、ユーザーが文字列の解読作業に面白みを感じるため、正規ユーザーによるインターネットサービスの利用が促進される。
【図面の簡単な説明】
【０００９】
【図１】本発明の実施形態１の表示装置における表示画面の一部を示す図である。
【図２】本発明の実施形態１において、文字列欠損画像の欠損部分にマスク画像が重なった状態を示す図である。
【図３】本発明の実施形態２の表示装置における表示画面の一部を示す図である。
【発明を実施するための形態】
【００１０】
以下、本発明の実施形態を説明するが、本発明は以下に説明する実施形態に限定されるものではなく、種々変形して実施することができる。
【００１１】
（実施形態１）
図１は、本発明の実施形態１の表示装置における表示画面の一部を示す図である。ユーザーが入力すべき文字列「LA1」の一部が大きく欠損した文字列欠損画像１が表示されている。本明細書では、「文字列」とは、文字、数字、記号（例えば、@、#等）のいずれかで構成されたものをいう。文字列を構成する文字、数字、記号は、少なくとも一般のキーボードで入力可能な全ての文字、数字、記号が対象になる。文字列は本実施形態の「LA1」のように複数の文字、数字又は記号を組み合わせて構成されるが、用途によっては１個の文字列で足りる場合もある。文字列欠損画像１の右側には、文字列欠損画像１の欠損部分の形状と、形状が一致する複数のマスク画像２が表示されている。ユーザーは、マスク画像２の一つをマウスでクリックする等して指定し、ドラッグ操作等を行うことにより、マスク画像２全体を、個々のマスク画像同士の相対的な位置を変えずに移動させることができる。すなわち、マスク画像全部を連動して移動させることができる。もちろん、キーボードの矢印ボタンを押すことによりマスク画像２を移動することが可能な構成としてもよい。また、ディスプレイの表示部がタッチパネルであれば、指でマスク画像２の一つに触れて動かすことができるようにしてもよい。さらに、マスク画像２ではなく、文字列欠損画像１の方を連動して移動させることができる構成としても良い。
【００１２】
図１の状態では、コンピュータで文字列を解読することは困難であるが、人間であるユーザーにとっても文字列の欠損が大きいため、文字列を解読するのが困難である。そこで、ユーザーは、マスク画像２を移動させ、文字列の欠損部分に一致する位置に移動させる。すると、図２のように表示される。図２の表示を見たユーザーは、人間の脳による形状補完機能によって文字列が「LA1」であることを解読できる。
【００１３】
本実施形態では、人間の脳の形状補完機能によって解読を行う。したがって、コンピュータによっては文字列の解読に十分な文字列画像を得ることができず、仮に人間が行う操作と同一の操作を行ったとしても解読が不可能である。
【００１４】
また、ユーザーがマスク画像２を移動させて文字列画像１の欠損部分に一致させる作業は、ユーザーにパズルゲームを行っているような面白みを感じさせ、ユーザーの認証作業における苦痛を軽減させる。
【００１５】
（実施形態２）
図３は、本発明の実施形態２の表示装置における表示画面の一部を示す図である。本実施形態２では、文字列欠損画像１の欠損部の形状がマスク画像２の外側の形状と一致していないが、マスク画像２は、文字列１の欠損部を覆い隠すものであれば、人間は脳の形状補完機能によって文字列を解読することができ、その役目を果たす。このようにすれば、そもそもコンピュータによってマスク画像２の適切な配置場所を算出すること自体を困難にすることができる。
【産業上の利用可能性】
【００１６】
本発明は、インターネットサービス提供方法及びインターネットサービス提供プログラムとして産業上利用可能である。
【符号の説明】
【００１７】
１・・・文字列欠損画像
２・・・マスク画像
【図１】
0006430824.tif 000002
【図２】
0006430824.tif 000003
【図３】
0006430824.tif 000004